(57)【特許請求の範囲】
【請求項１】
略直方体状の照明器具を包装する一枚の段ボール材からなる照明器具用包装装置において、
矩形状の底壁部とこの底壁部両側に一対の側壁部と上壁部とをそれぞれ設け、
前記底壁部の長手方向両端から第２壁部と当該第２壁部の幅より幅狭の第３壁部と当該第３壁部と同幅で前記略直方体状の照明器具の端部を覆うとともに両側端に係合孔部をそれぞれ有する第４壁部と第５壁部とをそれぞれ設け、
前記第２壁部の両側から内側に向けて直角に折曲げられ端部に係合凹部を有する第６壁部をそれぞれ設け、
前記第４壁部の両側から第７壁部と前記第６壁部に設けた係合凹部に係合する略ハの字の係合片部を有する第８壁部と第９壁部と先端に前記第４壁部の係合孔部に係合する前記係合孔部と同一の長さと同一の幅に形成された係合凸部を有する第１０壁部とをそれぞれ設けるとともに、第７壁部から第１０壁部のそれぞれを前記第４壁部と同一長さとし、
前記第８壁部と第９壁部と第１０壁部とをそれぞれ内側方向に折曲げ当該第１０壁部の先端に設けた係合凸部を前記第４壁部に設けた係合孔部にそれぞれ挿入係合して側方緩衝体をそれぞれ形成し、
これら側方緩衝体の第８壁部が前記第６壁部の内側に位置するように前記第２壁部と第３壁部と第４壁部と第５壁部とをそれぞれ直角に折曲げて、前記第９壁部を前記第２壁部に重ねた略筒状をなし、かつ、前記第９壁部から折曲げられて前記第２壁部と第４壁部とに対して直角状に配置されて前記第１０壁部を前記第２壁部と第４壁部とで挟んだ端部緩衝体をそれぞれ形成し、前記側方緩衝体の第７壁部を斜めにするとともに、前記第６壁部とこの内側に重なるように位置された前記側方緩衝体の第８壁部とを係合片部と係合凹部とを係合させて保持し、
前記第６壁部と端部緩衝体の第３壁部とを覆うように前記一対の側壁部と上壁部とをそれぞれ折曲げ形成したことを特徴とする照明器具用包装装置。
【発明の詳細な説明】
【０００１】
【発明の属する技術分野】
本発明は、例えば天井に埋込み設置される略直方体状の天井埋込み形照明器具を包装する一枚の段ボール材からなる照明器具用包装装置に関する。
【０００２】
【従来の技術】
略直方体状の照明器具を包装する従来技術に係る照明器具用包装装置について図９および図１０を参照して説明する。
【０００３】
照明器具用包装装置は一枚の段ボール材からなる箱状の個装箱１３と、段ボール材を折曲げてなる２組のコ字形をした端部緩衝板１０，１０と、段ボール材を折曲げてなるコ字形の中央部当て板１１とから構成している。
【０００４】
前記個装箱１３の両端内にコ字形をした端部緩衝板１０，１０をそれぞれ収納する。それから、これら端部緩衝体間に下方開口した箱状の器具本体２と、この器具本体２内に収納した反射板３とからなる照明器具１を上下逆様にした包装姿勢にするとともに、前記中央部当て板１１を当該照明器具１の長手方向中央部に上方から跨ぐように取付けたのち、当該照明器具１を個装箱１３内に収納する。
【０００５】
最後に、個装箱１３の内フラップ１４，１４と外フラップ１５，１５をそれぞれ閉じたのち、外フラップ１５，１５の突当て部にテープ１７を貼付けて包装を完了する。
【０００６】
【発明が解決しようとする課題】
上記のように従来の照明器具用包装装置は、個装箱の他に、照明器具を緩衝するための緩衝部品として２組の端部緩衝板と１組の中央部当て板とを必要とする。このため、部品点数が多く、包装コストが高くなるという問題があった。
【０００７】
しかも、使用後に、包装装置を廃棄する際、多量の廃棄物が出て、廃棄処理も面倒であるという問題があった。
【０００８】
本発明は上記の点に鑑みてなされたもので、低コストで、且つ、廃材処理も容易にできるとともに一枚の段ボール材でも、緩衝機能を十分有する照明器具用包装装置を提供することを課題とする。
【０００９】
【課題を解決するための手段】
前記課題を達成するために、本発明の照明器具用包装装置は、略直方体状の照明器具を包装する一枚の段ボール材からなる照明器具用包装装置において、矩形状の底壁部とこの底壁部両側に一対の側壁部と上壁部とをそれぞれ設け、前記底壁部の長手方向両端から第２壁部と当該第２壁部の幅より幅狭の第３壁部と当該第３壁部と同幅で前記略直方体状の照明器具の端部を覆うとともに両側端に係合孔部をそれぞれ有する第４壁部と第５壁部とをそれぞれ設け、前記第２壁部の両側から内側に向けて直角に折曲げられ端部に係合凹部を有する第６壁部をそれぞれ設け、前記第４壁部の両側から第７壁部と前記第６壁部に設けた係合凹部に係合する略ハの字の係合片部を有する第８壁部と第９壁部と先端に前記第４壁部の係合孔部に係合する前記係合孔部と同一の長さと同一の幅に形成された係合凸部を有する第１０壁部とをそれぞれ設けるとともに、第７壁部から第１０壁部のそれぞれを前記第４壁部と同一長さとし、前記第８壁部と第９壁部と第１０壁部とをそれぞれ内側方向に折曲げ当該第１０壁部の先端に設けた係合凸部を前記第４壁部に設けた係合孔部にそれぞれ挿入係合して側方緩衝体をそれぞれ形成し、これら側方緩衝体の第８壁部が前記第６壁部の内側に位置するように前記第２壁部と第３壁部と第４壁部と第５壁部とをそれぞれ直角に折曲げて、前記第９壁部を前記第２壁部に重ねた略筒状をなし、かつ、前記第９壁部から折曲げられて前記第２壁部と第４壁部とに対して直角状に配置されて前記第１０壁部を前記第２壁部と第４壁部とで挟んだ端部緩衝体をそれぞれ形成し、前記側方緩衝体の第７壁部を斜めにするとともに、前記第６壁部とこの内側に重なるように位置された前記側方緩衝体の第８壁部とを係合片部と係合凹部とを係合させて保持し、前記第６壁部と端部緩衝体の第３壁部とを覆うように前記一対の側壁部と上壁部とをそれぞれ折曲げ形成したことを特徴とするものである。
【００１０】
上記の構成において、略直方体状の照明器具を包装する一枚の段ボール材からなる照明器具用包装装置であって、当該包装装置は、底壁部としての第１壁部と当該第１壁部の長手方向両端から直角にそれぞれ折曲げられた第２壁部と、これら第２壁部の両側から連続してそれぞれ形成する第６壁部と、当該第６壁部には係合凹部としての係合切欠部を有している。また、第２壁部長手方向から連続形成する第３壁部と、この第３壁部と同幅で前記略直方体状の照明器具の端面部を覆う第４壁部と、当該第４壁部の両側から連続する第７壁部、第８壁部、第９壁部、第１０壁部とがそれぞれ形成され、第８壁部には前記第６壁部の係合凹部としての係合切欠部と係合する係合片部を具備しており、第１０壁部の先端部分には係合凸部を形成している。また、前記第４壁部には、第１０壁部の係合凸部と同幅のスリット状の係合孔部を有しており、第４壁部の長手方向両端から直角に折曲げられ前記第３壁部と平行に形成する第５壁部と前記第２壁部と同じ高さをもって前記第１壁部の両側からそれぞれ折曲げられた一体の側壁部とこの側壁部から直角に折曲げられて前記照明器具を覆う上壁部とから構成している。
【００１１】
【発明の実施の形態】
以下、図１から図８を参照して本発明の実施の形態を説明する。なお、従来技術と同一構成部品は同一番号を付して説明する。
【００１２】
図１は本発明に係る照明器具用包装装置を示す展開図で、当該照明器具用包装装置２０は、図７に示すように照明器具１の開放側を上側にした姿勢で包装し、一枚の段ボール材からなる。当該照明器具用包装装置２０の中央部には、矩形状をなす底壁部としての第１壁部２１が形成しているとともに、当該第１壁部２１の両端から長手方向に向けて連続して、当該第１壁部２１と同幅の第２壁部２２が折曲げ線４０を介してそれぞれ形成している。
【００１３】
前記第２壁部２２の幅より幅狭の第３壁部２３と当該第３壁部２３と同一幅からなる第４壁部２４と第５壁部２５とが、折曲げ線４１，折曲げ線４２，折曲げ線４３とを介してそれぞれ形成している。
【００１４】
前記第４壁部２４の両側端には、長手方向にスリット状の係合孔部３３，３３がそれぞれ穿設されている。また、前記第３壁部２３と第５壁部２５との長さは同一長さに形成している。なお、前記底壁部としての第１壁部２１は、照明器具１の全長に第３壁部２３の長さの２倍に相当する長さを加えた大きさの平板部分をなしている。
【００１５】
前記第２壁部２２の両側には、折曲げ線４４を介して矩形状の第６壁部２６がそれぞれ形成され、当該第６壁部２６の外方端部には係合凹部としての係合切欠部３７が切欠き形成している。
【００１６】
前記第４壁部２４の両側には、折曲げ線４５，折曲げ線４６，折曲げ線４７，折曲げ線４８を介して当該第４壁部２４と同一長さからなる第７壁部２７と第８壁部２８と第９壁部２９と第１０壁部３０とがそれぞれ連続形成している。さらに、当該第１０壁部３０の先端には、前記第４壁部２４に形成された係合孔部３３に挿入係合される係合凸部３４が形成している。なお、前記係合孔部３３は、前記係合凸部３４と同一長さに形成されるとともに、当該係合凸部３４の厚さと同一幅に穿設されている。また、前記第８壁部２８の内方端部には、前記第６壁部２６の外方端部に形成した係合切欠部３７に係合する略ハの字に形成した係合片部３８が形成している。
【００１７】
前記第１壁部２１の両側から、折曲げ線４９，折曲げ線５０を介して側壁部としての第１１壁部３１と上壁部としての第１２壁部３２が一体的にそれぞれ繋がっている。また、第１１壁部３１の幅は、前記第２壁部２２の長さと同一長さに形成している。なお、Ａ部は、段ボール材の中芯方向を図示している。
【００１８】
包装装置の組立て手順を図２から図５を参照して説明する。
【００１９】
第１ステップとして、第４壁部２４の両側にそれぞれ形成した第８壁部２８と第９壁部２９と第１０壁部３０とを折曲げ線４６，折曲げ線４７，折曲げ線４８に沿って内側にそれぞれ折曲げてから、当該第１０壁部３０の先端に設けた係合凸部３４を第４壁部２４に穿設した係合孔部３３に挿入し、図３に示すように、略三角形状の側方緩衝体５５，５５をそれぞれ形成する。また、予め、第６壁部２６を折曲げ線４４に沿って略直角にそれぞれ折曲げておく。
【００２０】
第２ステップとして、図４に示すように、第３壁部２３と第４壁部２４と第５壁部２５とを折曲げ線４１，折曲げ線４２，折曲げ線４３に沿ってそれぞれ直角に折曲げて略筒状に形成し、略筒状の端部緩衝体６０，６０をそれぞれ形成する。このとき、側方緩衝体５５を構成する第７壁部２７を折曲げ線４５に沿って外方に折曲げ、当該第４壁部２４に対して当該第７壁部２７を略直角に折曲げる。
【００２１】
第３ステップとして、図５に示すように、端部緩衝体６０を折曲げ線４０に沿って前記第１壁部２１に対して略直角にそれぞれ折曲げる。最後に、第８壁部２８の係合片部３８を外方に折曲げて第６壁部２６の係合凹部としての係合切欠部３７に係合保持する。
【００２２】
照明器具を包装装置に包装する手順を図６から図８を参照して説明する。
【００２３】
図７に示すように、照明器具１を上下逆様にした包装姿勢で上部から器具本体２の端面部６，６が、包装装置の第４壁部２４，２４に当接するように、器具本体の天面部４を底壁部としての第１壁部２１上に載置する。なお、照明器具１は下方開口した器具本体２内に反射板３が図示しない方法で固定されるとともに、器具本体２の両端にはランプソケット９，９が対向して取付けられている。また、この状態では、図６に示すように、照明器具１のコーナ部７は、折曲げ線４５，４５に当接する。
【００２４】
最後に、側壁部としての第１１壁部３１と上壁部としての第１２壁部３２を折曲げ線４９，５０に沿って内側にそれぞれ折曲げ、テープ１７で第１２壁部３２，３２の突当て部を封緘して包装を完了する。
【００２５】
上記実施の形態の作用を説明する。
【００２６】
略直方体状の照明器具１を包装する一枚の段ボール材からなる照明器具用包装装置であって、当該包装装置２０は、底壁部としての第１壁部２１と当該第１壁部の長手方向両端から直角にそれぞれ折曲げられた第２壁部２２と、これら第２壁部の両側から連続して形成する第６壁部２６と、当該第６壁部には係合凹部としての係合切欠部３７を有している。また、第２壁部の長手方向から連続形成する第３壁部２３と、この第３壁部と同幅で前記略直方体状の照明器具１の端面部６を覆う第４壁部２４と、第４壁部の両側から連続して第７壁部２７と第８壁部２８と第９壁部２９と第１０壁部３０とがそれぞれ形成され、第８壁部２８には前記第６壁部の係合凹部としての係合切欠部３７と係合する係合片部３８を具備しており、第１０壁部３０の先端部分には係合凸部３４を形成している。また、前記第４壁部２４には、第１０壁部３０の係合凸部３４と同幅のスリット状の係合孔部３３を有しており、第４壁部の長手方向両端から直角に折曲げられ前記第３壁部２３と平行に形成する第５壁部２５と前記第２壁部２２と同じ高さをもって前記第１壁部２１の両側から折曲げられた一体の第１１壁部３１と第１１壁部３１から直角に折曲げられて前記照明器具１を覆う第１２壁部３２とから構成しているので、包装に要する部品を最小にでき、それに伴い、照明器具を低コストで包装できる。さらに、その廃材処理も容易にできる。それにより、一枚の段ボール材から照明器具の長手方向に沿う荷重に対する緩衝機能をみたしている。
【００２７】
【発明の効果】
以上詳記したように本発明の照明器具用包装装置は、一枚の段ボール材から製作されているので、包装に要する部品を最小にでき、それに伴い、照明器具を低コストで包装できる。さらに、その廃材処理も容易にできる。
【００２８】
また、それにより、一枚の段ボール材から照明器具の長手方向に沿う荷重に対する緩衝機能を満たしている。
【図面の簡単な説明】
【図１】本発明の第１実施の形態に係る照明器具用包装装置を示す展開図。
【図２】同実施の形態における照明器具用包装装置を組立てる第１ステップを示す斜視図。
【図３】同上に係る第１ステップで作成した側方緩衝体を示す斜視図。
【図４】同上に係る第２ステップを示す斜視図。
【図５】同上に係る第３ステップを示す斜視図。
【図６】同実施の形態における照明器具用包装装置に照明器具を包装した状態を示す上面図。
【図７】同実施の形態における照明器具用包装装置に照明器具を包装する状態を示す斜視図。
【図８】同実施の形態における照明器具用包装装置に照明器具を包装完了した状態を示す斜視図。
【図９】従来技術における照明器具用包装装置で照明器具を包装する状態を示す斜視図。
【図１０】従来技術における照明器具用包装装置に照明器具を包装完了した状態を示す斜視図。
【符号の説明】
１…照明器具，
２１…第１壁部（底壁部），
２２…第２壁部，
２３…第３壁部，
２４…第４壁部，
２５…第５壁部，
２６…第６壁部，
２７…第７壁部，
２８…第８壁部，
２９…第９壁部，
３０…第１０壁部，
３１…第１１壁部（側壁部），
３２…第１２壁部（上壁部），
３３…係合孔部，
３４…係合凸部，
３７…係合切欠部（係合凹部），
３８…係合片部，
５５…側方緩衝体，
６０…端部緩衝体。
【図１】
0003791111.tif 000002
【図２】
0003791111.tif 000003
【図３】
0003791111.tif 000004
【図４】
0003791111.tif 000005
【図５】
0003791111.tif 000006
【図６】
0003791111.tif 000007
【図７】
0003791111.tif 000008
【図８】
0003791111.tif 000009
【図９】
0003791111.tif 000010
【図１０】
0003791111.tif 000011